(57)【要約】  電子ベイピング装置の貯蔵部を充填する前にプレベイパー製剤成分を別々に含有するための容器（１０）は、第一の開口部（２５）を有する容器本体（１５）、容器本体（１５）内の第一の区画（３５）、容器本体（１５）内の第二の区画（４０）、第一の区画（３５）と第二の区画（４０）との間の第一のシール（３０）、および開口部（２５）を覆うよう構成されたリッド（２０）を含む。第一の区画は少なくとも第一の成分を含有する。第二の区画は少なくとも第二の成分を含有する。当該第一のシールは壊れやすく、かつ実質的に不透過性である。リッド（２０）は第一のシール（３０）に接続され、リッドが取り外される時に壊れる。同じ目的のための別の容器では、ドロッパが第二の成分のための第二の区画を形成する。ドロッパ開口部は、成分を混合させるために取り外し可能な覆いによって閉じられる。【選択図】図１
2019515846.tif 000002
【特許請求の範囲】
【請求項１】
電子ベイピング装置の貯蔵部を充填する前にプレベイパー製剤成分を別々に含有するための容器であって、
第一の開口部を有する容器本体と、
前記容器本体内の第一の区画であって、少なくとも第一の成分を含有する、第一の区画と、
前記容器本体内の第二の区画であって、少なくとも第二の成分を含有する、第二の区画と、
前記第一の区画と前記第二の区画との間の第一のシールであって、実質的に不透過性である、第一のシールと、
前記開口部を覆うよう構成されたリッドであって、前記第一のシールに接続され、そのため前記リッドの取り外しにより前記第一のシールが壊れる、リッドと、を備える、容器。
【請求項２】
前記第一のシールは、プラスチックおよび不活性物質で被覆された金属箔のうちの少なくとも一つで形成される、請求項１に記載の容器。
【請求項３】
前記容器および前記第一のシールは同一の材料で形成される、請求項１または２に記載の容器。
【請求項４】
前記第一のシールは、約５０ミクロン〜約１０００ミクロンの厚さである、請求項１、２、または３に記載の容器。
【請求項５】
前記容器本体内の第三の区画であって、少なくとも第三の成分を含有する、第三の区画と、
前記第三の区画を前記第一の区画および前記第二の区画のうちの少なくとも一つから分離する第二のシールであって、実質的に不透過性である、第二のシールと、をさらに備える、請求項１〜４のいずれかに記載の容器。
【請求項６】
前記第二のシールは、前記第一のシールと同一の材料で形成され、前記リッドの取り外しにより前記第二のシールが壊れる、請求項５に記載の容器。
【請求項７】
前記第二のシールは、前記第一のシールに接続される、請求項５または６に記載の容器。
【請求項８】
前記第二のシールは、不活性物質で被覆される、請求項５、６、または７に記載の容器。
【請求項９】
前記容器本体、前記リッド、および前記第一のシールのうちの少なくとも一つは、不活性物質で被覆される、請求項１〜８のいずれかに記載の容器。
【請求項１０】
前記リッドはネジ式トップリッドである、請求項１〜９のいずれかに記載の容器。
【請求項１１】
前記第一の区画はニコチン、および風味剤のうちの少なくとも一つを含有し、前記第二の区画はエアロゾル形成体、酸、および水のうちの少なくとも一つを含有する、請求項１〜１０のいずれかに記載の容器。
【請求項１２】
前記第一のシールは、前記第一の区画と前記第二の区画との間に実質的に水平に延在する、請求項１〜１１のいずれかに記載の容器。
【請求項１３】
前記第一のシールは、前記第一の区画と前記第二の区画との間に実質的に垂直に延在する、請求項１〜１１のいずれかに記載の容器。
【請求項１４】
前記第一のシールに取り付けられ、かつ前記リッドに取り付けられるシールコネクタであって、そのため前記リッドが前記容器から取り外される時に、前記シールコネクタが前記第一のシールを引っ張って前記第一のシールを壊す、シールコネクタをさらに備える、請求項１〜１３のいずれかに記載の容器。
【請求項１５】
電子ベイピング装置の貯蔵部を充填する前にプレベイパー製剤成分を別々に含有するための容器であって、
その内部に開口部を有する容器本体と、
前記容器本体内の第一の区画であって、少なくとも第一の成分を含有する、第一の区画と、
前記開口部を覆うリッドと、
前記リッドから前記第一の区画へと延在するドロッパであって、少なくとも第二の成分を含有し、ドロッパ開口部を含み、前記ドロッパ開口部は覆いで覆われ、前記覆いは取り外し可能かつ実質的に不透過性である、ドロッパと、を備える、容器。
【請求項１６】
前記ドロッパは、その側面上に測定マーキングを含み、前記測定マーキングは、前記第二の成分の量を示すしるしを含む、請求項１５に記載に容器。
【請求項１７】
前記覆いは、プラスチックおよび不活性物質で被覆される金属箔のうちの少なくとも一つで形成される、請求項１５または１６に記載の容器。
【請求項１８】
前記容器本体内の第二の区画であって、少なくとも第三の成分を含有する、第二の区画と、
前記第一の区画と前記第二の区画との間の第一のシールであって、不透過性であり、前記リッドおよび前記ドロッパのうちの少なくとも一つに接続され、そのため前記リッドが前記容器から取り外される時に前記第一のシールが壊れる、第一のシールと、をさらに備える、請求項１５、１６、または１７に記載の容器。
【請求項１９】
プレベイパー製剤の貯蔵期間を延長させるための方法であって、
少なくとも第一の成分を容器の第一の区画に貯蔵することと、
少なくとも第二の成分を前記容器の第二の区画に貯蔵することと、を含み、前記第一の区画は第一のシールによって前記第二の区画から分離され、前記第一のシールは実質的に不透過性であり、前記第一のシールは容器のリッドに取り付けられ、前記第一のシールは前記容器を開けたときに取り外されるよう構成される、方法。
【発明の詳細な説明】
【技術分野】
【０００１】
本開示は、再充填可能な電子ベイピングまたはｅベイピング装置のための再充填バイアルに関連する。
【背景技術】
【０００２】
一部の電子ベイピング装置は、プレベイパー製剤で再充填されうる貯蔵部を含む。プレベイパー製剤は、瓶内に含有されうる。
【０００３】
少なくとも一つの例示的実施形態は、電子ベイピング装置の貯蔵部を充填する前にプレベイパー製剤成分を別々に含有するための容器に関連する。
【発明の概要】
【０００４】
少なくとも一つの例示的実施形態では、電子ベイピング装置の貯蔵部を充填する前にプレベイパー製剤成分を別々に含有するための容器は、第一の開口部を有する容器本体、容器本体内の第一の区画、容器本体内の第二の区画、第一の区画と第二の区画との間の第一のシール、および開口部を覆うよう構成されたリッドを含む。第一の区画は少なくとも第一の成分を含有する。第二の区画は少なくとも第二の成分を含有する。第一のシールは壊れやすいシールであり、かつ実質的に不透過性である。リッドは第一のシールに接続される。
【０００５】
少なくとも一つの例示的実施形態において、第一のシールはプラスチックまたは不活性物質で被覆された金属箔のうちの少なくとも一つで形成される。少なくとも一つの例示的実施形態において、容器および第一のシールは同一の材料で形成される。第一のシールは約５０ミクロン〜約１０００ミクロンの厚さとしてもよい。
【０００６】
少なくとも一つの例示的実施形態において、容器は容器本体内に第三の区画も含んでもよい。第三の区画は少なくとも第三の成分を含有する。第二のシールは第三の区画を、第一の区画と第二の区画のうちの少なくとも一つから分離する。第二のシールは壊れやすく、かつ実質的に不透過性である。
【０００７】
少なくとも一つの例示的実施形態において、第二のシールは第一のシールと同一の材料で形成される。第二のシールは第一のシールに接続されてもよい。第二のシールは不活性物質で被覆されてもよい。
【０００８】
少なくとも一つの例示的実施形態において、容器本体、リッド、および第一のシールのうちの少なくとも一つは、不活性物質で被覆される。
【０００９】
少なくとも一つの例示的実施形態において、ネジ式トップリッドである。
【００１０】
少なくとも一つの例示的実施形態において、第一の区画は、エアロゾル形成体、ニコチン、および第一の風味剤のうちの少なくとも一つを含有し、第二の区画は、エアロゾル形成体、酸、第二の風味剤、および水のうちの少なくとも一つを含有する。第一の風味剤は、第二の風味剤と同一でもよく、または異なってもよい。
【００１１】
少なくとも一つの例示的実施形態において、第一のシールは第一の区画と第二の区画との間に実質的に水平に延在する。
【００１２】
少なくとも一つの例示的実施形態において、シールコネクタは、第一のシールに取り付けられ、かつリッドに取り付けられ、そのためリッドが容器から取り外される時に、シールコネクタが第一のシールを引っ張って第一のシールを壊す。
【００１３】
少なくとも一つの例示的実施形態において、第一のシールは第一の区画と第二の区画との間を実質的に垂直に延在する。
【００１４】
少なくとも一つの例示的実施形態は、電子ベイピング装置の貯蔵部を充填する前にプレベイパー製剤成分を別々に含有するための容器に関連する。
【００１５】
少なくとも一つの例示的実施形態において、容器は、その内部に開口部を有する容器本体と、容器本体内の第一の区画と、開口部を覆うリッドと、リッドから第一の区画へと延在するドロッパとを含む。第一の区画は少なくとも第一の成分を含有する。ドロッパは少なくとも第二の成分を含有する。ドロッパはドロッパ開口部を含む。ドロッパ開口部は覆いで覆われる。覆いは取り外し可能であり、かつ実質的に不透過性である。
【００１６】
少なくとも一つの例示的実施形態において、ドロッパはその側面上に測定マーキングを含む。測定マーキングは、第二の成分の量を示すしるしを含む。
【００１７】
少なくとも一つの例示的実施形態において、覆いは、プラスチックまたは不活性物質で被覆された金属箔のうちの少なくとも一つで形成される。
【００１８】
少なくとも一つの例示的実施形態において、容器は、容器本体内に第二の区画も含んでもよい。第二の区画は少なくとも第三の成分を含有する。また、容器は第一の区画と第二の区画との間に第一のシールも含んでもよい。第一のシールは壊れやすく、かつ実質的に不透過性である。第一のシールは、リッドおよびドロッパのうちの少なくとも一つに接続され、そのためリッドが容器から取り外される時に第一のシールが壊れる。
【００１９】
少なくとも一つの例示的実施形態は、プレベイパー製剤の貯蔵期間を延長させるための方法に関連する。
【００２０】
少なくとも一つの例示的実施形態において、プレベイパー製剤の貯蔵期間を延長させるための方法は、少なくとも第一の成分を容器の第一の区画に、そして少なくとも第二の成分を容器の第二の区画に貯蔵することを含む。第一の区画は、第一のシールによって第二の区画から分離される。第一のシールは壊れやすく、かつ実質的に不透過性である。第一のシールは容器のリッドに取り付けられる。第一のシールは、容器を開けたときに取り外されるよう構成される。
【００２１】
本明細書の非限定的な実施形態の様々な特徴および利点は、詳細な説明を添付の図面と併せて検討するとより明らかになるはずである。添付の図面は単に図示の目的のために提供され、請求項の範囲を制限するものと解釈されるべきではない。添付の図面は、明示的に注記されていない限り、実寸に比例して描かれていると考えられるべきでない。明瞭化の目的で、図面の様々な寸法は誇張されている場合がある。
【図面の簡単な説明】
【００２２】
【図１】図１は、少なくとも一つの例示的実施形態による、第一の区画と第二の区画を含む再充填バイアルの側面断面図である。
【図２】図２は、少なくとも一つの例示的実施形態による、第一の区画、第二の区画、および第三の区画を含む再充填バイアルの側面断面図である。
【図３】図３は、少なくとも一つの例示的実施形態による、第一の区画と第二の区画を分離する、実質的に水平に延在するシールを含む再充填バイアルの側面断面図である。
【図４】図４は、少なくとも一つの例示的実施形態による、第一の区画とドロッパを含む再充填バイアルの側面断面図である。
【図５】図５は、少なくとも一つの例示的実施形態による、第一の区画、第二の区画、およびドロッパを含む再充填バイアルの側面断面図である。
【図６】図６は、少なくとも一つの例示的実施形態による、第一の区画と第二の区画の間の壊されるシールの図である。
【図７】図７は、少なくとも一つの例示的実施形態による、第一の区画と第二の区画を含む再充填バイアルの側面断面図である。
【発明を実施するための形態】
【００２３】
いくつかの詳細な例示的実施形態が本明細書で開示されている。しかしながら、本明細書に開示されている特定の構造面および機能面の詳細は、例示的実施形態を説明することを目的とした単なる典型である。しかしながら、例示的実施形態は、数多くの代替的な形態で具体化されることができ、本明細書に記載の例示的実施形態のみに限定されるものと解釈されるべきではない。
【００２４】
従って、例示的実施形態は、様々な修正および代替的形態が可能である一方で、その例示的実施形態は図面の例によって示されており、本明細書で詳細に説明する。ところが、当然のことながら、開示された特定の形態に対する例示的実施形態に限定する意図はなく、反対に、例示的実施形態は、例示的実施形態の範囲の中に収まるあらゆる修正、均等物、代替物が網羅される。同様の数字は、図の説明の全体で同様の要素を意味する。
【００２５】
要素または層が別の要素もしくは層「の上にある」、「に接続される」、「に結合される」、または「を覆う」と言及される時、これはもう一方の要素もしくは層の上に直接ある、それに直接的に接続される、それに直接的に結合される、またはそれを直接的に覆う、あるいは介在する要素もしくは層が存在してもよいことが理解されるべきである。対照的に、要素が別の要素もしくは層「の上に直接ある」、「に直接的に接続される」、または「に直接的に結合される」と言及される時、介在する要素もしくは層は存在しない。同様の数字は、明細書の全体で同様の要素を指す。
【００２６】
当然のことながら、第一の、第二の、第三のなどという用語は、様々な要素、構成要素、領域、層、またはセクションを記述するために本明細書で使用されてもよいが、これらの要素、構成要素、領域、層、またはセクションはこれらの用語によって限定されない。これらの用語は、ある一つの要素、構成要素、領域、層、またはセクションを別の構成要素、領域、層、またはセクションと区別するためにのみ使用される。従って、下記で考察される第一の要素、構成要素、領域、層、またはセクションは、例示的実施形態の教示内容から逸脱することなく、第二の要素、構成要素、領域、層、またはセクションと呼ぶこともできる。
【００２７】
空間的関係の用語（例えば、「下に」、「下方に」、「下部」、「上方に」、「上部」、およびこれに類するもの）は、図中で図示する際に、一つの要素または特徴と他の要素または特徴との間の関係を説明しやすくするために本明細書で使用されてもよい。空間的関係の用語は、図に図示されている方向に加えて、使用時または動作時に装置の異なる方向を包含することが意図されていることを理解するべきである。例えば、図中の装置をひっくり返した場合、他の要素または特徴の「下方に」または「下に」と説明されている要素は、その後は他の要素または特徴の「上方に」方向付けられることになる。従って、用語「下方に」は上方および下方の両方の方向を包含する場合がある。装置は、その他の方法で（９０度回転して、または他の方向で）方向付けられる場合があり、本明細書で使用される空間的関係の記述語は適宜に解釈される。
【００２８】
本明細書で使用される用語は、様々な例示的実施形態を説明する目的のみのものであり、例示的実施形態の制限を意図しない。単数形「一つの（ａ）」、「一つの（ａｎ）」、および「その（ｔｈｅ）」は本明細書で使用される場合、複数形も含むことが意図されているが、文脈によって明らかにそうではないことが示される場合はその限りではない。「含む（ｉｎｃｌｕｄｅｓ）」、「含む（ｉｎｃｌｕｄｉｎｇ）」「備える（ｃｏｍｐｒｉｓｅｓ）」、および「備える（ｃｏｍｐｒｉｓｉｎｇ）」という用語は本明細書で使用される時、述べられた特徴、整数、工程、動作、要素、または構成要素の存在を特定するが、一つ以上の他の特徴、整数、工程、動作、要素、構成要素、またはこれらの群の存在または追加を除外しないことがさらに理解されるであろう。
【００２９】
例示的実施形態は、例示的実施形態の理想的な実施形態の概略図（および中間構造）である断面図を参照して本明細書で説明される。このように、例えば製造技法または許容差の結果として得られた図の形状からの変化が予想される。従って、例示的実施形態は、本明細書に図示された領域の形状を限定するものとして解釈されるべきでなく、例えば製造に起因する形状の逸脱を含む。
【００３０】
その他の方法で定義されない限り、本明細書で使用されるすべての用語（技術的用語および科学的用語を含む）は、例示的実施形態が属する当該技術分野の当業者が通常理解しているものと同じ意味を有する。用語（一般的に使用されている辞書で定義された用語を含む）は、関連する技術分野の文脈でのそれらの用語の意味と一致する意味を有するものと解釈されるべきであり、理想的なまたは過度に正式な意味で解釈されないが、本明細書で明示的にそのように定義されている場合はその限りではないことがさらに理解されるであろう。
【００３１】
少なくとも一つの例示的実施形態は、電子ベイピング装置の貯蔵部を充填する前にプレベイパー製剤成分を別々に含有するための容器に関連する。
【００３２】
図１は、例示的実施形態による、第一の区画と第二の区画を含む再充填バイアルの側面断面図である。
【００３３】
少なくとも一つの例示的実施形態において、図１に示すように、プレベイパー製剤成分を別々に含有するための容器１０は本体１５を含む。本体１５はその内部に開口部２５を有する。また、本体はその内部に第一の区画３５と第二の区画４０も含む。第一のシール３０は、第一の区画３５と第二の区画４０との間に配置される。また、容器１０は、容器１０の開口部２５を覆う、密封する、または覆って密封するよう構成されるリッド２０も含む。
【００３４】
少なくとも一つの例示的実施形態において、第一の区画３５は、第二の区画４０と、同一のサイズ、容積、またはサイズおよび容積としてもよい。少なくとも一つの例示的実施形態において、第一の区画３５と第二の区画４０は、約１ミリリットル〜約２００ミリリットルの範囲の容積を有する。少なくとも一つの例示的実施形態において、第一の区画３５は、第二の区画４０よりも大きい、または小さいサイズまたは容積を有する。
【００３５】
少なくとも一つの例示的実施形態において、第一の区画３５と第二の区画４０はそれぞれ、同一のプレベイパー製剤成分を含有する。
【００３６】
プレベイパー製剤は、ベイパーへと変換されうる材料または材料の組み合わせである。例えば、プレベイパー製剤、プレベイパー製剤成分、または両方は、液体、固体、またはゲルのうちの少なくとも一つの形態であってもよい。例えば、プレベイパー製剤成分は、水、ビーズ、溶媒、活性成分、エタノール、植物抽出物、天然または人工の風味剤、ニコチン、グリセリンおよびプロピレングリコールなどの蒸気形成体、水、酸、ならびにこれらの組み合わせを含むがこれに限定されない。
【００３７】
少なくとも一つの例示的実施形態において、第一の区画３５は第二の区画４０とは異なるプレベイパー製剤成分を含有してもよい。したがって、ニコチンが第一の区画３５に含有され、ベイパー形成体が第二の区画４０に含有されて、電子ベイピング装置の貯蔵部を再充填する前の化学反応を防止または最小化してもよい。さらに、成分を別々の区画に維持することにより、少なくとも約１週間（例えば、少なくとも２週間、少なくとも１か月、少なくとも３か月、少なくとも６か月、少なくとも９か月、または少なくとも１年）だけ貯蔵期間が延びうる。
【００３８】
例えば、少なくとも一つの例示的実施形態において、風味剤が第一の区画３５に含有され、ベイパー形成体が第二の区画４０に含有されてもよい。一部の風味剤は、プロピレングリコールなどのベイパー形成体では不安定となる場合がある。したがって、これらの成分を別々に貯蔵することは、安定性、貯蔵期間、または両方を増大させる。
【００３９】
例えば、少なくとも一つの例示的実施形態において、酸が第一の区画３５に含有され、ベイパー形成体が第二の区画４０に含有されて、風味剤とベイパー形成体との間の反応を回避する、または最小化してもよい。
【００４０】
別の例示的実施形態において、第一の区画３５が粉末形態の成分を含有する一方で、第二の区画４０が液体形態、ゲル形態、または両方の成分を含有してもよい。
【００４１】
少なくとも一つの例示的実施形態において、第一のシール３０は、壊れると第一の区画３５内の成分を第二の区画４０内の成分に露出しうる、壊れやすいシール３０である。第一のシール３０は、実質的に不透過性であり、そのため第一の区画３５、第二の区画４０、または両方に含有される成分が第一のシール３０を通過できない。
【００４２】
少なくとも一つの例示的実施形態において、図１に示すように、リッド２０は第一のシール３０に接続され、そのためリッド２０が取り外される時に、第一のシール３０が壊れて第一の区画３５内の成分が第二の区画４０内の成分と混合する。
【００４３】
少なくとも一つの例示的実施形態において、リッド２０はネジ式トップリッドである。一部の例示的実施形態において、リッド２０はチャイルドレジスタンスリッドとしてもよい。他の例示的実施形態において、リッド２０は、容器１０の開口部２５の周りにスナップ式（またはその他のタイプの）接続を有しうる。
【００４４】
少なくとも一つの例示的実施形態において、第一のシール３０はプラスチックおよび不活性物質で被覆された金属箔のうちの少なくとも一つで形成される。少なくとも一つの例示的実施形態において、容器１０および第一のシール３０は同一の材料で形成される。他の例示的実施形態において、容器１０および第一のシール３０は異なる材料で形成される。第一のシール３０は約５０ミクロン〜約１０００ミクロンの厚さである。少なくとも一つの例示的実施形態において、第一のシール３０は、発送および保管の間に印加される圧力に耐えるのに十分な厚みであるが、リッド２０が容器１０から取り外される時、または以下に図６で説明するように、シールを壊すための動作を行う時に容易に壊れるのに十分な薄さである。少なくとも一つの例示的実施形態において、図１の構造は、押出成形、ブロー成型、または熱成形技術を使用した、ポリエチレンテレフタレートまたはポリスチレンなどの不活性プラスチック材料から作製されうる。個々の区画は、単一のプロセス工程で作製されてもよく、または、別々の工程で作製されて一緒にされ、図１の構造を生成してもよい。
【００４５】
少なくとも一つの例示的実施形態において、本体１５、リッド２０、またはシール３０のうちの少なくとも一つは、不活性物質で被覆されて、プレベイパー製剤成分と本体１５、リッド２０、またはシール３０のうちの少なくとも一つを形成する材料との間の反応を防止する、または最小化してもよい。不活性物質は、プラスチック被覆としてもよい。例えば、シール３０は、プラスチックまたはその他の不活性物質で被覆された金属箔で形成されてもよい。
【００４６】
少なくとも一つの例示的実施形態において、図１に示すように、シール３０は第一の区画３５と第二の区画４０との間に実質的に垂直に位置する。
【００４７】
図２は、例示的実施形態による、第一の区画、第二の区画、および第三の区画を含む再充填バイアルの側面断面図である。
【００４８】
少なくとも一つの例示的実施形態において、図２に示すように、容器１０は図１の容器と実質的に同一であるが、容器１０は、容器本体１５内に第３の区画４５も含む。第三の区画４５は、少なくとも第三の成分を含有し、これは、第一の区画３５、第二の区画４０、または両方に含有される成分と同一でもよく、または異なってもよい。
【００４９】
少なくとも一つの例示的実施形態において、第二のシール４３は第三の区画４５を、第一の区画３５と第二の区画４０のうちの少なくとも一つから分離する。第二のシール４３は、壊れやすく、かつ実質的に不透過性であり、そして、第一のシール３０の材料と同一の材料で形成されてもよく、または異なる材料で形成されてもよい。また、第二のシール４３は、その上に不活性被覆も含んでもよい。
【００５０】
少なくとも一つの例示的実施形態において、第二のシール４３は容器１０の本体１５内に実質的に垂直に位置する。別の例示的実施形態において、第二のシール４３が水平に位置する一方で、第一のシール３０は垂直に位置する（図示せず）。
【００５１】
少なくとも一つの例示的実施形態において、第二のシール４３はリッド２０および第一のシール３０のうちの一つ以上に接続される。
【００５２】
図３は、例示的実施形態による、第一の区画と第二の区画を分離する、実質的に水平に延在するシールを含む再充填バイアルの側面断面図である。
【００５３】
少なくとも一つの例示的実施形態において、図３に示すように、容器１０は図１の容器と実質的に同一であるが、第一のシール３０は第一の区画３５と第二の区画４０との間に実質的に垂直に延在する。さらに、シールコネクタ５０は、リッド２０を第一のシール３０に接続するよう、リッド２０と第一のシール３０との間に延在しうる。したがって、リッド２０を取り外すとき、シールコネクタ５０が第一のシール３０を引っ張って、第一のシール３０を壊す。
【００５４】
少なくとも一つの例示的実施形態は、電子ベイピング装置の貯蔵部を充填する前にプレベイパー製剤成分を別々に含有するための容器に関連する。
【００５５】
図４は、例示的実施形態による、第一の区画とドロッパを含む再充填バイアルの側面断面図である。
【００５６】
少なくとも一つの例示的実施形態において、図４に示すように、容器１０は、その内部に開口部２５を有する容器本体１５と、容器本体１５内の第一の区画３５と、開口部２５を覆うリッド２０と、リッド２０から第一の区画３５へと延在するドロッパ５５を含む。第一の区画３５は少なくとも第一の成分を含有する。ドロッパ５５は少なくとも第二の成分を含有する。ドロッパ５５はドロッパ開口部７０を含む。ドロッパ開口部７０は覆い６０で覆われる。覆い６０は取り外し可能であり、かつ実質的に不透過性である。
【００５７】
少なくとも一つの例示的実施形態において、ドロッパ５５はその側面上に測定マーキング６５を含む。測定マーキング６５は、ドロッパ５５内に含有される第二の成分の量を示すしるしを含む。測定マーキング６５は、ｍＬまたはその他の測定値における量を示しうる。一旦ドロッパ５５を取り出すと、ドロッパ５５内に含有される所望の量の成分を、ドロッパ５５から第一の区画３５内に含有される成分内へと排出することができる。したがって、プレベイパー製剤は、所望の量のニコチン、酸、風味剤、およびこれらの組み合わせを含有するように作られうる。
【００５８】
少なくとも一つの例示的実施形態において、覆い６０は、プラスチックおよび不活性物質で被覆された金属箔のうちの少なくとも一つで形成される。覆い６０は、ドロッパ開口部７０を横切って、かつドロッパ５５の側面に沿って延在してもよい。覆い６０は、引裂き細片またはその他の把持部分（図示せず）を含みうるが、これを掴んで覆い６０を取り外すことができる。
【００５９】
図５は、例示的実施形態による、第一の区画、第二の区画、およびドロッパを含む再充填バイアルの側面断面図である。
【００６０】
少なくとも一つの例示的実施形態において、図５に示すように、容器１０は図４の容器と概して同一であるが、容器１０は、第二の区画４０を含む。第二の区画４０は少なくとも第三の成分を含有する。また、容器１０は第一の区画３５と第二の区画４０との間に第一のシール３０を含んでもよい。第一のシール３０は壊れやすく、かつ実質的に不透過性である。第一のシール３０は、リッド２０およびドロッパ５５のうちの少なくとも一つに接続されてもよく、そのためリッド２０、ドロッパ５５、または両方が容器１０から取り外される時に第一のシール３０が壊れる。したがって、第一の区画３５、第二の区画４０、またはドロッパ５５のうちの少なくとも一つに別々に含有される成分は、容器を開くと混合されうる。
【００６１】
図６は、少なくとも一つの例示的実施形態による、第一の区画と第二の区画の間の壊されるシールの図である。
【００６２】
少なくとも一つの例示的実施形態において、図６に示すように、シールは容器を通して垂直に延在し、第一の区画３５と第二の区画４０を形成しうる。切り取り線は、シールを壊し易くするために選択されたポイントにおいてシールの厚さを変更することで形成されうる、シール中の弱化ポイントを示す。
【００６３】
少なくとも一つの例示的実施形態において、図示するようにリッドが回転する場合、シールが壊れて第一の区画３５と第二の区画４０の内容物が混合しうる。リッドは、容器が振動してさらなる混合を誘発するように、一旦シールが壊されると再び貼り付けられてもよい。
【００６４】
図７は、少なくとも一つの例示的実施形態による、第一の区画と第二の区画を含む再充填バイアルの側面断面図である。
【００６５】
少なくとも一つの例示的実施形態において、図７に示すように、シール３０は第一の区画３５の底部を形成し、かつ第一の区画３５を第二の区画４０から分離しうる。この例示的実施形態において、第二の区画４０が最初に充填され、その後にシール３０が第二の区画４０上に挿入され、そして、その後に第一の区画が充填されうる。シールコネクタ５０は、容器を一旦開くと、シール３０を壊すことができるようシール３０に接続されうる。
【００６６】
少なくとも一つの例示的実施形態は、プレベイパー製剤の貯蔵期間を延長させるための方法に関連する。
【００６７】
少なくとも一つの例示的実施形態において、プレベイパー製剤の貯蔵期間を延長させるための方法は、少なくとも第一の成分を容器の第一の区画に、そして少なくとも第二の成分を容器の第二の区画に貯蔵することを含む。第一の区画は、第一のシールによって第二の区画から分離される。第一のシールは壊れやすく、かつ実質的に不透過性である。第一のシールは容器のリッドに取り付けられる。第一のシールは、容器を開けたときに取り外されるよう構成される。
【００６８】
少なくとも一つの例示的実施形態において、本方法は、プレベイパー製剤、その成分、または両方の貯蔵期間を、少なくとも約１週間（例えば、少なくとも約２週間、少なくとも約３週間、少なくとも約４週間、少なくとも約２か月、少なくとも約３か月、少なくとも約６か月、少なくとも約９か月、または少なくとも約１年）だけ延長させることを含む。
【００６９】
少なくとも一つの例示的実施形態において、本方法は、所望の量の第一の成分と第二の成分を混合させることも含む。
【００７０】
数多くの例示的実施形態が本明細書で開示されてきたが、他の変形物が可能でありうることを理解するべきである。こうした変形は、例示的実施形態の意図される範囲を逸脱するものと見なされず、当業者にとって明らかであろうすべての変更は、以下の請求項の範囲内に含まれることが意図される。
【図１】
2019515846.tif 000003
【図２】
2019515846.tif 000004
【図３】
2019515846.tif 000005
【図４】
2019515846.tif 000006
【図５】
2019515846.tif 000007
【図６】
2019515846.tif 000008
【図７】
2019515846.tif 000009
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
電子ベイピング装置の貯蔵部を充填する前にプレベイパー製剤成分を別々に含有するための容器であって、
第一の開口部を有する容器本体と、
前記容器本体内の第一の区画であって、ニコチンを含有する、第一の区画と、
前記容器本体内の第二の区画であって、エアロゾル形成体、酸、および水のうち少なくとも一つを含有する、第二の区画と、
前記第一の区画と前記第二の区画との間の第一のシールであって、実質的に不透過性である、第一のシールと、
前記開口部を覆うよう構成されたリッドであって、前記第一のシールに接続され、そのため前記リッドの取り外しにより前記第一のシールが壊れる、リッドと、
前記第一のシールに取り付けられ、かつ前記リッドに取り付けられるシールコネクタであって、そのため前記リッドが前記容器から取り外される時に、前記シールコネクタが前記第一のシールを引っ張って前記第一のシールを壊す、シールコネクタと、を備える、容器。
【請求項２】
前記第一のシールは、プラスチックおよび不活性物質で被覆された金属箔のうちの少なくとも一つで形成される、請求項１に記載の容器。
【請求項３】
前記容器および前記第一のシールは同一の材料で形成される、請求項１または２に記載の容器。
【請求項４】
前記第一のシールは、約５０ミクロン〜約１０００ミクロンの厚さである、請求項１、２、または３に記載の容器。
【請求項５】
前記容器本体内の第三の区画であって、少なくとも第三の成分を含有する、第三の区画と、
前記第三の区画を前記第一の区画および前記第二の区画のうちの少なくとも一つから分離する第二のシールであって、実質的に不透過性である、第二のシールと、をさらに備える、請求項１〜４のいずれかに記載の容器。
【請求項６】
前記第二のシールは、前記第一のシールと同一の材料で形成され、前記リッドの取り外しにより前記第二のシールが壊れる、請求項５に記載の容器。
【請求項７】
前記第二のシールは、前記第一のシールに接続される、請求項５または６に記載の容器。
【請求項８】
前記第二のシールは、不活性物質で被覆される、請求項５、６、または７に記載の容器。
【請求項９】
前記容器本体、前記リッド、および前記第一のシールのうちの少なくとも一つは、不活性物質で被覆される、請求項１〜８のいずれかに記載の容器。
【請求項１０】
前記リッドはネジ式トップリッドである、請求項１〜９のいずれかに記載の容器。
【請求項１１】
前記第一の区画は、風味剤を含有する、請求項１〜１０のいずれかに記載の容器。
【請求項１２】
前記第一のシールは、前記第一の区画と前記第二の区画との間に実質的に水平に延在する、請求項１〜１１のいずれかに記載の容器。
【請求項１３】
前記第一のシールは、前記第一の区画と前記第二の区画との間に実質的に垂直に延在する、請求項１〜１１のいずれかに記載の容器。
【請求項１４】
プレベイパー製剤の貯蔵期間を延長させるための方法であって、
ニコチンを容器の第一の区画に貯蔵することと、
エアロゾル形成体、酸、および水のうち少なくとも一つを前記容器の第二の区画に貯蔵することと、を含み、前記第一の区画は第一のシールによって前記第二の区画から分離され、前記第一のシールは実質的に不透過性であり、前記第一のシールは容器のリッドに取り付けられ、シールコネクタは前記第一のシールに取り付けられかつ前記リッドに取り付けられ、そのため前記リッドが前記容器から取り外されるとき、前記シールコネクタが前記第一のシールを引っ張って前記第一のシールを壊し、前記第一のシールは前記容器を開けたときに取り外されるよう構成される、方法。
【請求項１５】
電子ベイピング装置の貯蔵部を充填する前にプレベイパー製剤成分を別々に含有するための容器であって、
その内部に開口部を有する容器本体と、
前記容器本体内の第一の区画であって、少なくとも第一の成分を含有する、第一の区画と、
前記開口部を覆うリッドと、
前記リッドから前記第一の区画へと延在するドロッパであって、少なくとも第二の成分を含有し、ドロッパ開口部を含み、前記ドロッパ開口部は覆いで覆われ、前記覆いは取り外し可能かつ実質的に不透過性である、ドロッパと、を備える、容器。
【請求項１６】
前記ドロッパは、その側面上に測定マーキングを含み、前記測定マーキングは、前記第二の成分の量を示すしるしを含む、請求項１５に記載に容器。
【請求項１７】
前記覆いは、プラスチックおよび不活性物質で被覆される金属箔のうちの少なくとも一つで形成される、請求項１５または１６に記載の容器。
【請求項１８】
前記容器本体内の第二の区画であって、少なくとも第三の成分を含有する、第二の区画と、
前記第一の区画と前記第二の区画との間の第一のシールであって、不透過性であり、前記リッドおよび前記ドロッパのうちの少なくとも一つに接続され、そのため前記リッドが前記容器から取り外される時に前記第一のシールが壊れる、第一のシールと、をさらに備える、請求項１５、１６、または１７に記載の容器。
【国際調査報告】
2019515846.tif 000010
2019515846.tif 000011
2019515846.tif 000012
2019515846.tif 000013
2019515846.tif 000014
2019515846.tif 000015
2019515846.tif 000016